(57)【特許請求の範囲】
【請求項１】
スポーツ用シューズのソール構造であって、
シューズの踵部分から前足部分にかけて延設されたミッドソール本体と、
前記ミッドソール本体よりも硬い素材から形成されるとともに、前記ミッドソール本体の下部においてシューズの踵部分から前足部分にかけて延設され、少なくともその踵部位に波形状を有するプレート状のアウトソール本体と、
前記アウトソール本体の前記踵部位の下部に配置された下部ミッドソールと、
前記下部ミッドソールの下面に貼り合わされた踵部アウトソールと、
を備えたスポーツ用シューズのソール構造。
【請求項２】
請求項１において、
前記アウトソール本体の前足部位に波形状が形成されている、
ことを特徴とするスポーツ用シューズのソール構造。
【請求項３】
請求項１または２において、
前記アウトソール本体の下面に複数のクリーツが設けられている、
ことを特徴とするスポーツ用シューズのソール構造。
【請求項４】
請求項３において、
前記クリーツが、前記アウトソール本体の屈曲性を制御するように配置されている、
ことを特徴とするスポーツ用シューズのソール構造。
【請求項５】
請求項３において、
前記クリーツが、前記アウトソール本体に対する接地面からの突上げ力を制御するように配置されている、
ことを特徴とするスポーツ用シューズのソール構造。
【請求項６】
請求項４または５において、
前記クリーツが、前記アウトソール本体の波形状の山または谷の部分に形成されている、
ことを特徴とするスポーツ用シューズのソール構造。
【請求項７】
請求項４または５において、
前記クリーツが、前記アウトソール本体の波形状の山または谷を跨いで配置されている、
ことを特徴とするスポーツ用シューズのソール構造。
【発明の詳細な説明】
【０００１】
【発明の属する技術分野】
本発明は、スポーツ用シューズのソール構造に関し、詳細には、その構造の改良に関する。
【０００２】
【従来の技術およびその課題】
各種スポーツに使用されるスポーツ用シューズのソール構造として、ミッドソール内に波形シートを内蔵させたものが本件出願人により提案されている（特開平１１−２０３号公報参照）。当該公報に示すソール構造は、一般に軟質弾性部材からなる上部ミッドソールおよび下部ミッドソールから構成されたミッドソールと、これら上部ミッドソールおよび下部ミッドソール間に挿入された波形シートと、下部ミッドソールの下面に貼り合わされ、路面と直接接地するアウトソールとから構成されている。
【０００３】
この場合には、ミッドソールの踵部位が波形シートを内蔵していることにより、シューズの着地時に、ミッドソールの踵部位が左右方向に横ずれ変形するのを抑制する抵抗力が発生するようになっており、これにより、シューズの踵部分の横振れが防止され、走行安定性が確保されるようになっている。
【０００４】
しかしながら、前記従来構造は、上部ミッドソール、下部ミッドソール、波形シートおよびアウトソールからなる４層構造のため、一般に重量が重く、また組立工程がやや煩雑で、金型コストも余分にかかり、コスト高になるという欠点がある。
【０００５】
本発明は、このような従来の実情に鑑みてなされたもので、走行安定性を確保しつつ、軽量化できるとともに、製造工程を簡略化でき、コストを低減できるスポーツ用シューズのソール構造を提供することを目的とする。本発明の他の目的は、アウトソール本体の屈曲性を制御することにある。本発明のさらに他の目的は、アウトソール本体に対する接地面からの突上げ力を制御することにある。
【０００６】
【課題を解決するための手段】
請求項１の発明に係るスポーツ用シューズのソール構造は、シューズの踵部分から前足部分にかけて延設されたミッドソール本体と、ミッドソール本体よりも硬い素材から形成されるとともに、ミッドソール本体の下部においてシューズの踵部分から前足部分にかけて延設され、少なくともその踵部位に波形状を有するプレート状のアウトソール本体と、アウトソール本体の踵部位の下部に配置された下部ミッドソールと、下部ミッドソールの下面に貼り合わされた踵部アウトソールとを備えている。なお、本明細書中で用いる「延設」とは、同一素材で形成される場合のみならず、異なる素材から形成された部材を接着等して一体化する場合をも含む概念である。
【０００７】
請求項２の発明に係るスポーツ用シューズのソール構造は、請求項１において、アウトソール本体の前足部位に波形状が形成されていることを特徴としている。
【０００８】
請求項３の発明に係るスポーツ用シューズのソール構造は、請求項１または２において、アウトソール本体の下面に複数のクリーツが設けられていることを特徴としている。
【０００９】
請求項４の発明に係るスポーツ用シューズのソール構造は、請求項３において、クリーツが、アウトソール本体の屈曲性を制御するように配置されていることを特徴としている。
【００１０】
請求項５の発明に係るスポーツ用シューズのソール構造は、請求項３において、クリーツが、アウトソール本体に対する接地面からの突上げ力を制御するように配置されていることを特徴としている。
【００１１】
請求項６の発明に係るスポーツ用シューズのソール構造は、請求項４または５において、クリーツが、アウトソール本体の波形状の山または谷の部分に形成されていることを特徴としている。
【００１２】
請求項７の発明に係るスポーツ用シューズのソール構造は、請求項４または５において、クリーツが、アウトソール本体の波形状の山または谷を跨いで配置されていることを特徴としている。
【００１３】
請求項１の発明に係るスポーツ用シューズのソール構造においては、アウトソール本体の踵部位に波形状が形成されていることにより、シューズの着地時に、ミッドソール本体の踵部位が左右方向に横ずれ変形するのを抑制する抵抗力が発生するようになっている。これにより、シューズの踵部分の横振れを防止でき、走行安定性を確保できる。
【００１４】
さらに、この場合には、シューズの前足部分が、ミッドソール本体およびアウトソール本体の２層からなるソール構造を有している。これにより、部品点数を削減でき、軽量化が可能になるとともに、製造工程を簡略化でき、コストを削減できる。さらに、従来構造に比べて一般に薄くなることにより、シューズの前足部分の屈曲性を向上できる。
【００１５】
また請求項２の発明に記載されているように、アウトソール本体の前足部位にも波形状が形成されていてもよい。この場合には、シューズの前足部分の横振れを防止できる。
【００１６】
さらに、請求項３の発明に記載されているように、アウトソール本体の下面に複数のクリーツが設けられていてもよい。このようなソール構造は、たとえばサッカーシューズ、野球のスパイクシューズ、ゴルフシューズ、陸上競技のトラック用シューズなどに適用され得る。
【００１７】
クリーツは、請求項４の発明に記載されているように、アウトソール本体の屈曲性を制御するように配置されていてもよく、あるいは、請求項５の発明に記載されているように、アウトソール本体に対する接地面からの突上げ力を制御するように配置されていてもよい。
【００１８】
請求項６の発明に記載されているように、クリーツがアウトソール本体の波形状の山または谷の部分に形成されている場合には、アウトソール本体の屈曲性が阻害されるのを防止できる。とくに、アウトソール本体の波形状の谷の部分にクリーツが形成されている場合には、アウトソール本体に対する接地面からの突上げ力を、当該谷の両隣に配置された山の側に分散させることによって、緩和できる。
【００１９】
なお、本明細書中では、図３の側面拡大図に示すように、接地面側を下側にしてアウトソールの波形状を側方から見たときに、接地面から離れる側に屈曲する屈曲部分を「山」と呼称し、これとは逆に接地面側に突出する屈曲部分を「谷」と呼称することにする。
【００２０】
請求項７の発明に記載されているように、クリーツがアウトソール本体の波形状の山と山または谷と谷を跨いで配置されている場合、すなわち、隣り合う山と山または谷と谷を跨いで配置されている場合には、請求項９の場合と同様にして、アウトソール本体に対する接地面からの突上げ力を、アウトソール本体の波形状によって効果的に緩和できるとともに、アウトソール本体の屈曲性を抑制できる。
【００２１】
【発明の実施の形態】
以下、本発明の実施態様を添付図面に基づいて説明する。
図１は本発明の一実施態様によるソール構造が採用されたゴルフシューズの側面図、図２の（ａ）は当該ソール構造の底面図、（ｂ）はその内甲側側面図、（ｃ）は外甲側側面図である。
【００２２】
図１に示すように、ゴルフシューズ２０の靴底は、甲被部２２の下部に設けられるとともに、シューズ踵部分から前足部分にかけて延設された上部ミッドソール２４ａと、上部ミッドソール２４ａの下部に配置された概略プレート状のアウトソール本体２３と、シューズ踵部分においてアウトソール本体２３の下部に配置された下部ミッドソール２４ｂと、下部ミッドソール２４ｂの下面に接着された踵部アウトソール２８とから主として構成されている。
【００２３】
アウトソール本体２３および踵部アウトソール２８の下面には、複数のクリーツ２５が設けられている。また、上下部ミッドソール２４ａ，２４ｂには、幅方向に延びる貫通孔２７が形成されている。
【００２４】
ミッドソール２４は、熱可塑性または熱硬化性樹脂の発泡体やラバー素材の発泡体からなるクッション性の良好な軟質弾性部材から構成されている。
【００２５】
アウトソール本体２３の踵部位には、図２の（ｂ）および（ｃ）に示すように、波形状部２３ｄが形成されている。同図（ａ）中の破線Ｌは、この波形状部２３ｄの山および谷の線を示している。下部ミッドソール２４ｂの踵部位には、アウトソール本体２３の波形状部２３ｄに対応する波形状部が形成されている。
【００２６】
同様に、アウトソール本体２３の前足部位には、図２の（ｂ）および（ｃ）に示すように、波形状部２３ｅが形成されており、上部ミッドソール２４ａの前足部位には、アウトソール本体２３の波形状部２３ｅに対応する波形状部が形成されている。波形状部２３ｅの波形状の波長は、外甲側が大きく、内甲側が小さくなっており、谷の線Ｌは靴底屈曲ラインに対応して扇状に配置されている。
【００２７】
この場合においては、アウトソール本体２３の踵部位に波形状部２３ｄが形成されているので、シューズの着地時には、ミッドソール２４の踵部位が左右方向に横ずれ変形するのを抑制する抵抗力が発生するようになっている。これにより、シューズの踵部分の横振れを防止でき、歩行安定性およびスイング中の安定性を確保できる。
【００２８】
しかも、この場合には、シューズ前足部分が、アウトソール本体２３および上部ミッドソール２４ａからなる２層構造のソール構造により構成されるので、部品点数を削減でき、軽量化が可能になるとともに、製造工程を簡略化でき、コストを削減できる。さらに、ソール構造が薄くなることによって、シューズ前足部分の屈曲性を向上できる。
【００２９】
また、この場合には、アウトソール本体２３の前足部位に波形状部２３ｅが形成されているので、シューズの前足部分の横振れをも防止できる。
【００３０】
さらに、本実施態様によれば、アウトソール本体２３に対する接地面からの突上げ力を緩和できる。また、シューズ前足部分に設けられたクリーツ２５が、アウトソール本体２３の波形状部２３ｅにおける波形状の谷と谷と跨いで配置されていることにより、アウトソール本体２３に対する接地面からの突上げ力を波形状部２３ｅによって効果的に緩和できるとともに、アウトソール本体２３の屈曲性を抑制できる。
【００３１】
【発明の効果】
以上のように、本発明に係るスポーツ用シューズのソール構造によれば、アウトソール本体の踵部位に波形状が形成されているので、シューズの着地時に、シューズの踵部分の横振れを防止でき、走行安定性を確保できるとともに、シューズの前足部分が、ミッドソール本体およびアウトソール本体の２層から構成されているので、部品点数を削減でき、軽量化が可能になるとともに、製造工程を簡略化でき、コストを削減できる。
【図面の簡単な説明】
【図１】  本発明の一実施態様によるソール構造が採用されたゴルフシューズの側面図である。
【図２】  （ａ）はソール構造（図１）の底面図、（ｂ）はその内甲側側面図、（ｃ）は外甲側側面図である。
【図３】  アウトソールの波形状部分を示す側面拡大図である。
【符号の説明】
２０：    ゴルフシューズ
２３：    アウトソール本体
２３ｄ：  波形状部
２３ｅ：  波形状部
２４：    ミッドソール
２４ａ：  上部ミッドソール
２４ｂ：  下部ミッドソール
２５：    クリーツ
２８：    踵部アウトソール
【図１】
0004076704.tif 000002
【図２】
0004076704.tif 000003
【図３】
0004076704.tif 000004